(57)【要約】【課題】美容成分の量を任意に制御できるヘアドライヤーを提供すること。【解決手段】本発明に係るヘアドライヤー１００は、霧化装置１３０と美容成分保持部材とを備える。美容成分保持部材は、第１の成分保持領域１５２ａと第２の成分保持領域１５２ｂとを有する。霧化装置１３０は、結露面において結露している結露水を静電霧化して液滴を生成する第１の放電電極１３４ａ及び第２の放電電極１３４ｂと、を有する。第１の放電電極１３４ａは、第１の成分保持領域１５２ａに対して空気流Ｂ１ａの上流側に設けられており、第２の放電電極１３４ｂは、第２の成分保持領域１５２ｂに対して空気流Ｂ２の上流側に設けられている。第１の成分保持領域１５２ａから放出される美容成分の量は、第１の放電電極１３４ａを用いて調整され、第２の成分保持領域１５２ｂから放出される美容成分の量は、第２の放電電極１３４ｂを用いて調整される。【選択図】図６
2019111155.tif 000002
【特許請求の範囲】
【請求項１】
吸入口から吹出口へ向かう空気流を生成するファンと、
前記空気流に霧化された液滴を付与する霧化装置と、
保持する美容成分を前記空気流に含まれる前記液滴を媒体として前記空気流に放出する美容成分保持部材と、を備え、
前記美容成分保持部材は、第１の成分保持領域と第２の成分保持領域とを有し、
前記霧化装置は、
結露面を冷却して前記空気流中に含まれる水分を結露させる結露部と、
前記結露面を接地電極として放電を発生させることで、前記結露面において結露している結露水を静電霧化して前記液滴を生成する第１及び第２の放電電極と、を有し、
前記第１の放電電極は、前記第１の成分保持領域に対して前記空気流の上流側に設けられており、
前記第２の放電電極は、前記第２の成分保持領域に対して前記空気流の上流側に設けられており、
前記第１の成分保持領域から放出される美容成分の量は、前記第１の放電電極を用いて調整され、
前記第２の成分保持領域から放出される美容成分の量は、前記第２の放電電極を用いて調整される、
ヘアドライヤー。
【請求項２】
前記第１及び第２の放電電極の放電電圧をそれぞれ制御することで、前記第１及び第２の成分保持領域から放出される前記美容成分の量をそれぞれ調整する、
請求項１に記載のヘアドライヤー。
【請求項３】
前記第１及び第２の放電電極の放電電圧をそれぞれ制御することで、前記第１及び第２の成分保持領域から放出される前記美容成分の割合を調整する、
請求項１または２に記載のヘアドライヤー。
【請求項４】
前記第１及び第２の放電電極の放電電圧をそれぞれ制御することで、前記第１及び第２の成分保持領域に供給される前記液滴の量をそれぞれ調整する、
請求項１〜３のいずれか一項に記載のヘアドライヤー。
【請求項５】
前記第１及び第２の成分保持領域から放出される前記美容成分の割合を設定する設定部を備える、
請求項１〜４のいずれか一項に記載のヘアドライヤー。
【請求項６】
前記第１の放電電極から前記第１の成分保持領域までの流路と、前記第２の放電電極から前記第２の成分保持領域までの流路と、を仕切る仕切り板が設けられている、
請求項１〜５のいずれか一項に記載のヘアドライヤー。
【請求項７】
前記第１の成分保持領域には、金属微粒子が担持された水溶性美容成分が保持されており、
前記第２の成分保持領域には、水溶性美容成分が保持されている、
請求項１〜６のいずれか一項に記載のヘアドライヤー。
【請求項８】
前記第１の成分保持領域には、金属微粒子が担持された水溶性美容成分が保持されており、
前記第２の成分保持領域には、前記金属微粒子とは異なる金属微粒子が担持された水溶性美容成分が保持されている、
請求項１〜６のいずれか一項に記載のヘアドライヤー。
【請求項９】
前記第１及び第２の成分保持領域には、各々種類が異なる水溶性美容成分が保持されている、請求項１〜６のいずれか一項に記載のヘアドライヤー。
【請求項１０】
前記水溶性美容成分は、コラーゲン、ケラチン、及びビタミンの少なくとも一つである、
請求項７〜９のいずれか一項に記載のヘアドライヤー。
【請求項１１】
前記金属微粒子は、白金、銀、及び亜鉛の少なくとも一つである、
請求項７または８に記載のヘアドライヤー。
【発明の詳細な説明】
【技術分野】
【０００１】
本発明は、ヘアドライヤーに関する。
【背景技術】
【０００２】
コラーゲンなどの美容成分を空気流に乗せて毛髪に放散するヘアドライヤーが知られている（例えば、特許文献１参照）。当該美容成分には、保湿作用や抗酸化作用などの様々な効能を有するものを用いることができる。
【先行技術文献】
【特許文献】
【０００３】
【特許文献１】特開２０１５−１９８５４号公報
【発明の概要】
【発明が解決しようとする課題】
【０００４】
当該美容成分は、交換式カートリッジ等の美容成分保持部材に保持されており、空気流に含まれるミストと結合して運ばれる。このような機能を備えるヘアドライヤーでは、運ばれる美容成分の量や種類、配合割合などを任意に制御したいという要請がある。
【０００５】
本発明は、このような問題を解決するためになされたものであり、美容成分の量を任意に制御できるヘアドライヤーを提供するものである。
【課題を解決するための手段】
【０００６】
本発明の第１の態様におけるヘアドライヤーは、吸入口から吹出口へ向かう空気流を生成するファンと、前記空気流に霧化された液滴を付与する霧化装置と、保持する美容成分を前記空気流に含まれる前記液滴を媒体として前記空気流に放出する美容成分保持部材と、を備え、前記美容成分保持部材は、第１の成分保持領域と第２の成分保持領域とを有し、前記霧化装置は、結露面を冷却して前記空気流中に含まれる水分を結露させる結露部と、前記結露面を接地電極として放電を発生させることで、前記結露面において結露している結露水を静電霧化して前記液滴を生成する第１及び第２の放電電極と、を有し、前記第１の放電電極は、前記第１の成分保持領域に対して前記空気流の上流側に設けられており、前記第２の放電電極は、前記第２の成分保持領域に対して前記空気流の上流側に設けられており、前記第１の成分保持領域から放出される美容成分の量は、前記第１の放電電極を用いて調整され、前記第２の成分保持領域から放出される美容成分の量は、前記第２の放電電極を用いて調整される。
【０００７】
このように構成することにより、第１の成分保持領域を通過する液滴の量と、第２の成分保持領域を通過する液滴の量とを、独立に制御することができる。このため、第１の成分保持領域から放出される美容成分の量と、第２の成分保持領域から放出される美容成分の量とを、独立に調整することができる。従って、拡散される美容成分の量を任意に制御することができる。
【発明の効果】
【０００８】
本発明により、拡散される美容成分の量を任意に制御できるヘアドライヤーを提供することができる。
【図面の簡単な説明】
【０００９】
【図１】第１の実施形態に係るヘアドライヤーの全体斜視図である。
【図２】第１の実施形態に係るカートリッジを装着する様子を示す部分拡大図である。
【図３】ハウジングの中央断面の様子を模式的に示す図である。
【図４】第１の実施形態に係るカートリッジの構成を示す分解斜視図である。
【図５】第１の実施形態に係るヘアドライヤーが備える霧化装置の背面図である。
【図６】第１の実施形態に係るヘアドライヤーが備える霧化装置の底面図である。
【図７】ヘアドライヤーのシステム構成図である。
【図８】第２の実施形態に係るカートリッジを装着する様子を示す部分拡大図である。
【図９】第２の実施形態に係るヘアドライヤーが備える霧化装置の背面図である。
【図１０】第２の実施形態に係るヘアドライヤーが備える霧化装置の底面図である。
【発明を実施するための形態】
【００１０】
以下、発明の実施形態を通じて本発明を説明するが、特許請求の範囲に係る発明を以下の実施形態に限定するものではない。また、実施形態で説明する構成の全てが課題を解決するための手段として必須であるとは限らない。また、各図面において、同一又は対応する要素には同一の符号が付されており、説明の明確化のため、必要に応じて重複説明は省略される。
【００１１】
［第１の実施形態］
図１は、第１の実施形態に係るヘアドライヤー１００の全体斜視図である。ヘアドライヤー１００は、主に、温風や冷風を発生させる本体ユニット１１０と、ユーザが把持するグリップユニット１８０と、を備える。ヘアドライヤー１００は、ＡＣ電源から供給される電力によって、熱や空気流を発生させる。
【００１２】
本体ユニット１１０は、筐体であるハウジング１１６が外周を取り囲んで円筒形状を成し、一端側の開口である吸入口１１１から外気を取り入れ、他端側の開口である吹出口１１２から調整された空気流を吹き出す。吹出口１１２は、２つに分かれており、相対的に大量の空気流を吹き出す第１吹出口１１３と、第１吹出口よりは吹き出す空気流が少ない第２吹出口１１４とによって構成されている。なお、以降の説明においては、吸入口１１１側を上流側と称し、吹出口１１２側を下流側と称する。
【００１３】
本体ユニット１１０は、グリップユニット１８０と接続する端部を有する。当該端部近傍には、モードスイッチ１１５ａ及びモードスイッチ１１５ｂが設けられている。モードスイッチ１１５ａは、吹き出す空気流に第１の美容成分を放出させる第１美容モードと放出させない第１非美容モードとを切り替える。モードスイッチ１１５ｂは、吹き出す空気流に第２の美容成分を放出させる第２美容モードと放出させない第２非美容モードとを切り替える。
【００１４】
モードスイッチ１１５ａとモードスイッチ１１５ｂは、互いに独立して操作可能である。このため、ユーザは、モードスイッチ１１５ａ及びモードスイッチ１１５ｂを操作することによって、以下の（１）〜（４）の４つのモードを切り替えることができる。
（１）第１の美容成分と第２の美容成分の両方とも放出させるモード
（２）第１の美容成分を放出させるが、第２の美容成分を放出させないモード
（３）第２の美容成分を放出させるが、第１の美容成分を放出させないモード
（４）第１の美容成分と第２の美容成分の両方とも放出させないモード
【００１５】
グリップユニット１８０は、一端側が本体ユニット１１０と回動可能に接続されており、ユーザは、グリップユニット１８０を本体ユニット１１０に対して使用時においては直立させ、収容時においては並行にして折り畳む。グリップユニット１８０は、把持部の中央付近にオンオフスイッチ１８１を有する。ユーザは、オンオフスイッチ１８１を３つのポジションのいずれかにスライドさせることができる。それぞれのポジションは、１つがオフポジション、１つが後述するヒータへの通電を遮断して冷風を送出させる冷風ポジション、１つが電熱線に通電して温風を送出させる温風ポジションである。
【００１６】
ユーザがモードスイッチ１１５ａを操作して第１美容モードに切り替えると、第１の美容成分が混入した空気流が第２吹出口１１４から吹き出される。また、ユーザがモードスイッチ１１５ｂ操作して第２美容モードに切り替えると、第２の美容成分が混入した空気流が第２吹出口１１４から吹き出される。第１の美容成分及び第２の美容成分は、美容成分保持部材としてのカートリッジ１５０に吸着保持されている。カートリッジ１５０は、本体ユニット１１０に対して交換可能に装着される。すなわち、美容成分を放出し尽くしたカートリッジ１５０は、新たなカートリッジ１５０に取り替えられる。これにより、ヘアドライヤー１００は、美容成分の放散を継続的に維持することができる。図２は、本体ユニット１１０がカートリッジ１５０を装着する様子を示す部分拡大図である。
【００１７】
ハウジング１１６の一部には開口部が設けられており、開口部は、通常の使用時には収容蓋１１７で覆われている。収容蓋１１７は、一端側に設けられたヒンジによりハウジング１１６に枢設されており、ユーザは、カートリッジ１５０の交換時に収容蓋１１７の他端側を持ち上げて開口部を開く。開口部の奥には装着部１１８が設けられており、ユーザはカートリッジ１５０を装着部１１８へ装着することができる。カートリッジ１５０を装着して収容蓋１１７を閉じれば、ユーザは、ヘアドライヤー１００の第１及び第２美容モードを機能させることができる。なお、カートリッジ１５０が装着されていない状態ではモードスイッチ１１５ａ及びモードスイッチ１１５ｂを第１及び第２美容モードに切り替えられないように、モードスイッチ１１５ａ及びモードスイッチ１１５ｂにロック機構を設けても良い。
【００１８】
図３は、図１の座標系で示すｘｚ平面と平行な断面で切断した、ハウジング１１６の中央断面の様子を模式的に示す図である。図は、主要な構成要素に限って表している。具体的には、ハウジング１１６内に配設されたヒータ１２１、モータ１２２、ファン１２３、霧化装置１３０、及び装着部１１８に装着されたカートリッジ１５０を表している。
【００１９】
ファン１２３は、モータ１２２によって回転され、吸入口１１１から外気を取り込んで、吹出口１１２へ向けて空気流を発生させる。モータ１２２は、例えば直流モータであり、ファン１２３と共に送風装置として機能する。ヒータ１２１は、通電されることにより熱を発生し、ファン１２３で発生された空気流を加熱して温風に変換する。ヒータ１２１は、例えば電熱線であり、絶縁板に巻回されるなどしてハウジング１１６の中空部に位置するように固定されている。
【００２０】
ハウジング１１６の内部空間は、吸入口１１１から取り込まれた外気がファン１２３よりも下流側で二手に分流するように、内壁１１９によって２つに分割されている。すなわち、ファン１２３によって生成される空気流は、この内壁１１９によって、第１吹出口１１３へ向かう空気流Ｂ０と、第２吹出口１１４へ向かう空気流Ｂ１と、に分かれる。ヒータ１２１は、空気流Ｂ０を温めるように、空気流Ｂ０の流路中に配設されている。したがって、ユーザがオンオフスイッチ１８１を温風ポジションに設定していれば、通電されたヒータ１２１が空気流Ｂ０を温める。また、空気流Ｂ１は、霧化装置１３０、及びカートリッジ１５０を通過して第２吹出口１１４へと向かう。
【００２１】
霧化装置１３０は、空気流Ｂ１の流路中に配設されている。霧化装置１３０は、周辺空気に含まれる水分を結露させ、結露した水分をミスト化（霧化）して空気流Ｂ１に付与する装置である。ファン１２３が回っている間に水分を結露させる場合には、空気流Ｂ１に含まれる水分を結露させる。すなわち、霧化装置１３０は、空気中の水分を凝縮してミスト（霧化された液滴）を生成する装置であり、本実施形態においては、直径が十〜数百ナノメートルの液滴を生成する。
【００２２】
カートリッジ１５０は、図３に示すように、霧化装置１３０よりも下流側に設けられた装着部１１８に装着されている。空気流Ｂ１に含まれるミストがカートリッジ１５０の内部を通過すると、カートリッジ１５０に吸着保持された美容成分がミストに溶出する。このようにして、空気流Ｂ１は、当該美容成分を適度に含んだ状態で第２吹出口１１４から吹き出される。
【００２３】
ここで、図４を用いて、カートリッジ１５０の構成について説明する。図４に示すように、カートリッジ１５０は、ケース部材１５１と、ケース部材１５１の中に収容される成分保持部材１５２とを備えている。ケース部材１５１は、さらに第１のケース部材１５１ａと第２のケース部材１５１ｂとに分割できるように構成されている。第１のケース部材１５１ａと第２のケース部材１５１ｂとは、組み合わせることによって成分保持部材１５２を内部に収容できるように構成されている。また、第１のケース部材１５１ａ及び第２のケース部材１５１ｂには、空気流Ｂ１が通過できる通気孔１５３が形成されている。
【００２４】
成分保持部材１５２は、第１の成分保持領域１５２ａと第２の成分保持領域１５２ｂとを有する。第１の成分保持領域１５２ａと第２の成分保持領域１５２ｂは、別々の部材で形成されていてもよいし、一つの繋がった部材であってもよい。本実施形態においては、第１の成分保持領域１５２ａ及び第２の成分保持領域１５２ｂの例として、別々の部材で形成された例を用いて説明する。また、空気流Ｂ１のうち、第１の成分保持領域１５２ａを通過する空気流を空気流Ｂ１ａと呼び、第２の成分保持領域１５２ｂを通過する空気流を空気流Ｂ１ｂと呼ぶことにする。
【００２５】
第１の成分保持領域１５２ａは、空気流Ｂ１ａの流路中に配設されている。第１の成分保持領域１５２ａは、複数の繊維部材を絡ませて構成されたシート状の部材であり、第１の美容成分を吸着保持している。すなわち、第１の美容成分は、第１の成分保持領域１５２ａを構成する繊維に吸着されているか、あるいは第１の成分保持領域１５２ａを構成する繊維間に保持されている。第１の成分保持領域１５２ａ内を空気流Ｂ１ａが通過するとき、空気流Ｂ１ａ内に含まれるミストによって第１の美容成分が溶出する。換言すると、第１の美容成分は、空気流Ｂ１ａに含まれるミストを媒体として空気流Ｂ１ａに放出される。これによって、空気流Ｂ１ａは第１の美容成分を含み、空気流Ｂ０とともにユーザの毛髪へ到達する。
【００２６】
第２の成分保持領域１５２ｂは、空気流Ｂ１ｂの流路中に配設されている。第２の成分保持領域１５２ｂは、複数の繊維部材を絡ませて構成されたシート状の部材であり、第２の美容成分を吸着保持している。すなわち、第２の美容成分は、第２の成分保持領域１５２ｂを構成する繊維に吸着されているか、あるいは第２の成分保持領域１５２ｂを構成する繊維間に保持されている。第２の成分保持領域１５２ｂ内を空気流Ｂ１ｂが通過するとき、空気流Ｂ１ｂ内に含まれるミストによって第２の美容成分が溶出する。換言すると、第２の美容成分は、空気流Ｂ１ｂに含まれるミストを媒体として空気流Ｂ１ｂに放出される。これによって、空気流Ｂ１ｂは第１の美容成分を含み、空気流Ｂ０とともにユーザの毛髪へ到達する。
【００２７】
第１の美容成分と第２の美容成分は、同一の美容成分であってもよいし、異なる美容成分であってもよい。第１または第２の美容成分に用いられる美容成分としては、例えば保湿性を有するものとして、タンパク質、ムコ多糖、コラーゲン、エラスチン、ケラチン、ビタミン類等の水溶性美容成分が挙げられる。なお、水溶性美容成分としては、上記した以外のものも任意に選択して用いることができるが、毛髪等における保湿性等を向上させてキューティクルの痛みを回復させる等の観点から、コラーゲンを含むことが好ましい。
【００２８】
また、例えばコラーゲンなどに担持させるなどの態様により、金属微粒子を美容成分として採用することもできる。すなわち、金属微粒子が担持された水溶性美容成分を、第１または第２の美容成分として用いることができる。美容成分となり得る金属としては、金、銀、銅、白金、亜鉛、チタンが候補として挙げられる。このような金属微粒子は、毛髪に付着して抗菌作用や抗酸化作用を生じさせることができる。特に白金の微粒子は、抗酸化作用が極めて高いことが知られており、美容成分として採用すると良い。もちろん、第１または第２の美容成分として、上記で例示した美容成分やその他の美容成分を、任意の割合で配合して用いてもよい。
【００２９】
すなわち、例えば、第１の成分保持領域１５２ａには、金属微粒子が担持された水溶性美容成分が保持されており、第２の成分保持領域１５２ｂには、水溶性美容成分が保持されるようにしてもよい。または、第１の成分保持領域１５２ａには、金属微粒子が担持された水溶性美容成分が保持されており、第２の成分保持領域１５２ｂには、その金属微粒子とは異なる金属微粒子が担持された水溶性美容成分が保持されているようにしてもよい。または、第１の成分保持領域１５２ａ及び第２の成分保持領域１５２ｂには、各々種類が異なる水溶性美容成分が保持されているようにしてもよい。
【００３０】
次に、図３に示す断面図に加えて、図５に示す背面図（つまり、霧化装置１３０をｘ軸方向のマイナス側から見た図）、及び図６に示す底面図（つまり、霧化装置１３０をｚ軸方向のマイナス側から見た図）を用いて、霧化装置１３０の構成を説明する。霧化装置１３０は、主に、ペルチェ素子１３１、冷却板１３２、金属板１３３、第１の放電電極１３４ａ、第２の放電電極１３４ｂ、及び放熱手段１３５を含む。ペルチェ素子１３１の吸熱面側には導電性の冷却板１３２が貼り合わされており、冷却板１３２は、ペルチェ素子１３１によって冷却される（図３参照）。冷却板１３２のうち空気流と触れる側の面である結露面は、空気流中に含まれる水分を結露させ、液滴が付着する。すなわち、冷却板１３２は、ペルチェ素子１３１と協働して結露部として機能する。また、冷却板１３２は、第１の放電電極１３４ａ、及び第２の放電電極１３４ｂに対して対向電極として機能する。このため、冷却板１３２は接地電位に接続されている。例えば、冷却板１３２はステンレス材料を用いて構成することができる。
【００３１】
ペルチェ素子１３１の発熱面側には金属板１３３が設けられている。例えば、金属板１３３はステンレス材料を用いて構成することができる。金属板１３３には、放熱のための放熱手段１３５が貼り合わされている（図３参照）。つまり、ペルチェ素子１３１の発熱面側で発生した熱は、金属板１３３を介して放熱手段１３５に伝わり、放熱手段１３５から放出される。放熱手段１３５から放出された熱は、空気流Ｂ１の一部に乗って第２吹出口１１４から外部に吹き出される。図５に示すように、放熱手段１３５には放熱を促進させるための放熱フィン１３９を設けてもよい。放熱手段１３５および放熱フィン１３９は、熱伝導率の高い材料を用いて構成することが好ましく、例えば、銅やステンレス材料等の金属材料を用いて構成することができる。
【００３２】
第１の放電電極１３４ａは、後述する電極回路に接続されており、冷却板１３２を接地電極として放電が発生するように、冷却板１３２から所定量離間して配置されている。また、図６に示すように、第１の放電電極１３４ａは、空気流Ｂ１ａの流路中に設けられている。すなわち、第１の放電電極１３４ａは、第１の成分保持領域１５２ａに対して空気流Ｂ１ａの上流側に設けられている。第１の放電電極１３４ａに高圧の負パルスが印加されると、第１の放電電極１３４ａの先端部と冷却板１３２との間で放電が起こり、冷却板１３２の結露面に結露していた結露水が、レイリー分裂により、マイナスイオンに帯電したミストとなって飛散する。すなわち、第１の放電電極１３４ａは、結露水が付着した冷却板１３２との間で放電して、マイナスイオンに帯電したミスト（静電霧化した液滴）を空気流Ｂ１ａに付与する。
【００３３】
上述した通り、第１の美容成分は、空気流Ｂ１ａ内に含まれるミストに溶出することで第１の成分保持領域１５２ａから放出される。したがって、第１の成分保持領域１５２ａから放出される第１の美容成分の量を、第１の放電電極１３４ａを用いて調整することができる。具体的には、第１の成分保持領域１５２ａから放出される第１の美容成分の量を、第１の放電電極１３４ａの放電電圧やパルス数等によって調整することができる。
【００３４】
同様に、第２の放電電極１３４ｂも、後述する電極回路に接続されており、冷却板１３２を接地電極として放電が発生するように、冷却板１３２から所定量離間して配置されている。また、図６に示すように、第２の放電電極１３４ｂは、空気流Ｂ１ｂの流路中に設けられている。すなわち、第２の放電電極１３４ｂは、第２の成分保持領域１５２ｂに対して空気流Ｂ１ｂの上流側に設けられている。第２の放電電極１３４ｂに高圧の負パルスが印加されると、第２の放電電極１３４ｂの先端部と冷却板１３２との間で放電が起こり、冷却板１３２の結露面に結露していた結露水が、レイリー分裂により、マイナスイオンに帯電したミストとなって飛散する。すなわち、第２の放電電極１３４ｂは、結露水が付着した冷却板１３２との間で放電して、マイナスイオンに帯電したミストを、空気流Ｂ１ｂに付与する。
【００３５】
上述した通り、第２の美容成分は、空気流Ｂ１ｂ内に含まれるミストに溶出することで第２の成分保持領域１５２ｂから放出される。したがって、第２の成分保持領域１５２ｂから放出される第２の美容成分の量を、第２の放電電極１３４ｂを用いて調整することができる。具体的には、第２の成分保持領域１５２ｂから放出される第２の美容成分の量を、第２の放電電極１３４ｂの放電電圧やパルス数等によって調整することができる。
【００３６】
すなわち、第１の放電電極１３４ａ及び第２の放電電極１３４ｂの放電電圧をそれぞれ制御することで、第１の成分保持領域１５２ａ及び第２の成分保持領域１５２ｂに供給されるミスト（液滴）の量をそれぞれ調整することができる。したがって、第１の放電電極１３４ａ及び第２の放電電極１３４ｂの放電電圧をそれぞれ制御することで、第１の成分保持領域１５２ａ及び第２の成分保持領域１５２ｂから放出される美容成分の量をそれぞれ調整することができる。また、第１の放電電極１３４ａ及び第２の放電電極１３４ｂの放電電圧をそれぞれ制御することで、第１の成分保持領域１５２ａ及び第２の成分保持領域１５２ｂから放出される美容成分の割合を調整することができる。
【００３７】
なお、霧化装置１３０のうち、結露部は直接的に空気流Ｂ１ａ及び空気流Ｂ１ｂの流路中に配設されていなくても良い。結露面で結露した結露水が放電によりミスト化した場合に、当該ミストが空気流Ｂ１ａ及び空気流Ｂ１ｂに誘引されるのであれば、空気流Ｂ１ａ及び空気流Ｂ１ｂに直接晒されない箇所に配設することも可能である。結露面が直接的に空気流Ｂ１ａ及び空気流Ｂ１ｂに晒されないのであれば、比較的大きな結露水を生成することも可能であり、放電によって生成するミストの大きさをコントロールしやすい。
【００３８】
なお、図３に示すように、霧化装置１３０とヒータ１２１の間には内壁１１９が介在し、互いに隔離されているので、ヒータ１２１が発生する熱は、霧化装置１３０の結露部に到達しにくい。したがって、結露部は、より多くの水分を結露させることができる。また、内壁１１９は、ヒータ１２１の熱をより遮断するように、断熱性の高い素材で形成されると良い。あるいは、内壁１１９の表面に熱移動を遮断する断熱シートを貼着すると良い。
【００３９】
図７は、ヘアドライヤー１００のシステム構成図である。ヘアドライヤー１００は、例えばマイクロプロセッサである制御部１９０によって電気系統の全体が制御される。オンオフスイッチ１８１のスイッチ状態、およびモードスイッチ１１５ａ、１１５ｂのスイッチ状態は、電気的に検出されて制御部１９０へ伝達される。制御部１９０は、これらのスイッチ状態に応じて各回路を制御する。制御対象は、主に、ヒータ回路１９１、モータ回路１９２、ペルチェ回路１９３、第１の電極回路１９４ａ、及び第２の電極回路１９４ｂである。
【００４０】
ヒータ回路１９１は、ヒータ１２１に通電して一定の発熱状態を保つ回路である。制御部１９０は、オンオフスイッチ１８１が温風ポジションであるときに、ヒータ回路１９１が機能するように制御する。モータ回路１９２は、モータ１２２に通電してファン１２３を一定の回転速度で回転させる回路である。制御部１９０は、オンオフスイッチ１８１が冷風ポジションまたは温風ポジションであるときに、モータ回路１９２が機能するように制御する。
【００４１】
ペルチェ回路１９３は、ペルチェ素子１３１を駆動して吸熱面から発熱面へ熱移動させる回路である。制御部１９０は、モードスイッチ１１５ａ、１１５ｂの少なくとも一方が第１または第２美容モードに設定されているときに、ペルチェ回路１９３が機能するように制御する。
【００４２】
第１の電極回路１９４ａは、第１の放電電極１３４ａに高圧の負パルスを印加して、第１の放電電極１３４ａと冷却板１３２の間で周期的に放電を発生させる回路である。制御部１９０は、モードスイッチ１１５ａが第１美容モードに設定されているときに、第１の電極回路１９４ａが機能するように制御する。また、制御部１９０は、モードスイッチ１１５ａが第１美容モードに設定されているときに、第１の電極回路１９４ａが機能するように制御する。
【００４３】
同様に、第２の電極回路１９４ｂは、第２の放電電極１３４ｂに高圧の負パルスを印加して、第２の放電電極１３４ｂと冷却板１３２の間で周期的に放電を発生させる回路である。制御部１９０は、モードスイッチ１１５ｂが第２美容モードに設定されているときに、第２の電極回路１９４ｂが機能するように制御する。また、制御部１９０は、モードスイッチ１１５ｂが第２美容モードに設定されているときに、第２の電極回路１９４ｂが機能するように制御する。
【００４４】
上述した通り、第１の美容成分は、空気流Ｂ１ａ内に含まれるミストに溶出することで放出される。したがって、ユーザがモードスイッチ１１５ａを第１美容モードに設定すると、第１の美容成分が放出される。また、第２の美容成分は、空気流Ｂ１ｂ内に含まれるミストに溶出することで放出される。したがって、ユーザがモードスイッチ１１５ｂを第２美容モードに設定すると、第２の美容成分が放出される。すなわち、制御部１９０は、第１の成分保持領域１５２ａ及び第２の成分保持領域１５２ｂから放出される美容成分の割合を設定する設定部として機能する。このようにして、本実施形態に係るヘアドライヤー１００は、拡散される美容成分の量を任意に制御できる。また、第１の成分保持領域１５２ａ及び第２の成分保持領域１５２ｂが各々種類の異なる美容成分を保持する場合は、ユーザは、放出される美容成分の種類や配合割合を制御することができる。
【００４５】
上記の例では、第１及び第２の美容成分のそれぞれに対して、放出させるか否かをユーザが選択できる構成について説明した。他の例として、ユーザが第１及び第２の美容成分の放出量をさらに任意に調節できるような構成にしてもよい。例えば、モードスイッチ１１５ａ、１１５ｂの代わりにダイヤル式のスイッチを設け、制御部１９０は、ダイヤルの回転量に伴って第１の放電電極１３４ａと第２の放電電極１３４ｂの電圧の大きさや放電電圧比を制御する構成にしてもよい。この場合は、第１の放電電極１３４ａ及び第２の放電電極１３４ｂの放電電圧を任意に制御できるため、第１及び第２の美容成分の放出量をさらに任意に調整することができる。
【００４６】
［第２の実施形態］
次に、図８〜図１０を用いて、第２の実施形態に係るヘアドライヤー１００について説明する。図８は、本実施形態に係る本体ユニット２１０が、本実施形態に係る第１のカートリッジ２５０ａ、及び第２のカートリッジ２５０ｂを装着する様子を示す部分拡大図である。第１のカートリッジ２５０ａは第１の装着部２１８ａに装着され、第２のカートリッジ２５０ｂは第２の装着部２１８ｂに装着される。第１の装着部２１８ａと第２の装着部２１８ｂとは、仕切り板２６０によって仕切られている。
【００４７】
図９は、霧化装置１３０の背面図（つまり、霧化装置１３０をｘ軸方向のマイナス側から見た図）であり、図１０は、霧化装置１３０の底面図（つまり、霧化装置１３０をｚ軸方向のマイナス側から見た図）である。図１０に示すように、第１のカートリッジ２５０ａはケース部材２５１ａと第１の成分保持領域２５２ａを備える。また、第２のカートリッジ２５０ｂはケース部材２５１ｂと第２の成分保持領域２５２ｂを備える。
【００４８】
図１０に示すように、本実施形態においては、第１の放電電極１３４ａから第１の成分保持領域２５２ａまでの流路と、第２の放電電極１３４ｂから第２の成分保持領域２５２ｂまでの流路と、を仕切る仕切り板２６０が設けられている。また、図９に示すように、仕切り板２６０は、第１の放電電極１３４ａ側の空間と、第２の放電電極１３４ｂ側の空間とを仕切っている。このため、第１の放電電極１３４ａ側の空間を流れる空気流Ｂ１ａと、第２の放電電極１３４ｂ側の空間を流れる空気流Ｂ１ｂとの混合を、抑制することができる。
【００４９】
このような構成においては、第１の放電電極１３４ａと冷却板１３２との間で生じたミストは、空気流Ｂ１ａに沿って流れ、第１の成分保持領域２５２ａに進入するが、第２の成分保持領域２５２ｂには進入しづらい。したがって、第１の放電電極１３４ａの放電電圧を上げた場合に、第２の成分保持領域２５２ｂにミストが進入して第２の美容成分が放出されてしまうようなことを抑制できる。また、第２の放電電極１３４ｂと冷却板１３２との間で生じたミストは、空気流Ｂ１ｂに沿って流れ、第２の成分保持領域２５２ｂに進入するが、第１の成分保持領域２５２ａには進入しづらい。したがって、第２の放電電極１３４ｂの放電電圧を上げた場合に、第１の成分保持領域２５２ａにミストが進入して第２の美容成分が放出されてしまうようなことを抑制できる。
【００５０】
以上、本発明を上記の実施形態に即して説明したが、本発明は上記実施の形態の構成にのみ限定されるものではなく、本願特許請求の範囲の請求項の発明の範囲内で当業者であればなし得る各種変形、修正、組み合わせを含むことは勿論である。例えば、本実施の形態に係るヘアドライヤー１００は、第１の放電電極１３４ａまたは第２の放電電極１３４ｂに負のパルスを印加してマイナスイオンを発生させたが、正のパルスを印加してプラスイオンを発生させても良い。正のパルスを印加して放電を発生させると、プラスイオンに帯電したミストが発生する。この場合は、プラスイオンがユーザの毛髪に到達し、プラスイオンによる抗菌効果などが期待できる。また、第１の放電電極１３４ａまたは第２の放電電極１３４ｂに印加するパルスの極性を変化させることにより、マイナスイオンとプラスイオンをシーケンシャルに発生させても良い。また、第１の放電電極１３４ａまたは第２の放電電極１３４ｂをそれぞれ複数設けて、プラスイオンとマイナスイオンを同時に発生させるようにしても良い。
【００５１】
また、以上説明した実施形態に係るヘアドライヤー１００は、美容成分保持部材として交換式のカートリッジ１５０を採用したが、カートリッジ式ではなく、例えば美容成分を外部から注入できるような美容成分保持部材を採用しても良い。この場合の美容成分保持部材は、本体ユニット１１０に固定されていても良い。
【符号の説明】
【００５２】
１００  ヘアドライヤー、１１０  本体ユニット、１１１  吸入口、１１２  吹出口、１１３  第１吹出口、１１４  第２吹出口、１１５ａ、１１５ｂ  モードスイッチ、１１６  ハウジング、１１７  収容蓋、１１８  装着部、１１９  内壁、１２１  ヒータ、１２２  モータ、１２３  ファン、１３０  霧化装置、１３１  ペルチェ素子、１３２  冷却板、１３３  金属板、１３４ａ  第１の放電電極、  １３４ｂ  第２の放電電極、１３５  放熱手段、１３９  放熱フィン、１５０  カートリッジ、１５１  ケース部材、１５１ａ  第１のケース部材、１５１ｂ  第２のケース部材、１５２  成分保持部材、１５２ａ  第１の成分保持領域、１５２ｂ  第２の成分保持領域、１５３  通気孔、１８０  グリップユニット、１８１  オンオフスイッチ、１９０  制御部、１９１  ヒータ回路、１９２  モータ回路、１９３  ペルチェ回路、１９４ａ  第１の電極回路、１９４ｂ  第２の電極回路、２１０  本体ユニット、２１８ａ  第１の装着部、２１８ｂ  第２の装着部、２６０  仕切り板、２５０ａ  第１のカートリッジ、２５０ｂ  第２のカートリッジ、２５１ａ、２５１ｂ  ケース部材、２５２ａ  第１の成分保持領域、２５２ｂ  第２の成分保持領域
【図１】
2019111155.tif 000003
【図２】
2019111155.tif 000004
【図３】
2019111155.tif 000005
【図４】
2019111155.tif 000006
【図５】
2019111155.tif 000007
【図６】
2019111155.tif 000008
【図７】
2019111155.tif 000009
【図８】
2019111155.tif 000010
【図９】
2019111155.tif 000011
【図１０】
2019111155.tif 000012